(57)【要約】印刷機に供給されるシート又はウエブに印刷によって番号を付けるナンバリング・ボックスであって、該ボックスはｐ個の数字によって、前記シート又はウエブ上でｋ×ｎ個の事項に番号を付け、ｑ枚のシート層、又はｑ枚のシート層に切断されたウエブを仕上げて照合するプロセスにおいて順番にこれらの事項を集め、１０S がｑより小さいか又はこれに等しい数字１〜ｓに対して純粋に順番に作動し、数字１〜ｓとｓ＋１〜ｒによってプリント可能な最大番号がｋ×ｎ×ｑより小さいか又はこれに等しい数字ｓ＋１〜ｒに対しては純粋に個々に設定可能に作動し、そして数字ｒ＋１〜ｐに対しては順番に作動する。
2005535472.tif 000002
【特許請求の範囲】
【請求項１】
被印刷物の上に行と列をなして配列され、１〜ｓ、ｓ＋１〜ｒ及びｒ＋１〜ｐの数字からなるｐ個の数字を有する番号が付与される有価証券、銀行券、小切手、カードその他の目的物に番号を付けるプロセスであって、
ｋ×ｎが１０sよりも小さく、ｓがｐよりも小さいｋ個の列とｎ個の行を担持した被印刷物の場合に、１０s 枚の連続する被印刷物からなる群の各第１被印刷物に対して、各目的物の通し番号ｓ＋１〜ｒの初期値が、式Ｚ＝（ｊ−１）＋（ｉ−１）×ｎ＋（ｍ−１）×（ｋ×ｎ）によって計算され、
ここで、ｊは目的物の行を特定し、ｉは目的物の列を特定し、ｍは１０s 枚の連続する被印刷物からなる群を特定していることを特徴とする、プロセス。
【請求項２】
番号付けが下に向かって行われ、前記式がＺ＝Ｄ／１０2 −（（ｊ−１）＋（ｉ−１）×ｎ＋（ｍ−１）×ｋ×ｎ）であり、ここで、Ｄは下に向かう番号付けが始まる通し番号を表している請求項１に記載のプロセス。
【請求項３】
シート又はウエブの形の被印刷物を処理する方法であって、各シート又は反復的長さのウエブは、ｋ列とｎ行に配列された目的物を含み、前記目的物は１〜ｓ、ｓ＋１〜ｒ及びｒ＋１〜ｐの数字を含むｐ個の数字からなる番号で番号付けされ、ｑ枚のシート又は個々のシートに変形されたｑ枚の反復的長さのウエブの積層体が形成され、前記行と列を切断することによって個々の目的物の束になるように処理され、ここで、ｑは１０2 によって割り切れる数であり、連続する積層体を順次に切断することによって得られる前記束は、請求項１又は２のいずれか１項のプロセスによって通し番号を付けられた目的物の連続する流れを形成する、方法。
【請求項４】
印刷機に供給されるシート又はウエブに印刷によって番号を付けるナンバリング・ボックスであって、１〜ｓ、ｓ＋１〜ｒ、及びｒ＋１〜ｐの数字を含むｐ個の数字によって、ｑ枚のシート層、又はｑ枚のシート層に切断されたウエブを仕上げて照合するプロセスにおいて前記シート又はウエブ上でｋ×ｎ個の事項に番号を付けて、順番にこれらの事項の収集を可能にするための、
１０2 がｑより小さいか又はこれに等しい数字１〜ｓに対して純粋に順番に作動し、数字１〜ｓとｓ＋１〜ｒによってプリント可能な最大番号がｋ×ｎ×ｑより小さいか又はこれに等しい数字ｓ＋１〜ｒに対して純粋に個々に設定可能に作動し、そして数字ｒ＋１〜ｐに対して順番に作動することを特徴とする、ナンバリング・ボックス。
【請求項５】
前記ｐ個の数字が対応するナンバリング・ホィール（１、２、３、４、５、６、７）によってプリントされることを特徴とする請求項４に記載のナンバリング・ボックス。
【請求項６】
数字１〜ｓに対して純粋に順番に行われる作動は機械的手段によってなされる請求項４又は５に記載のナンバリング・ボックス。
【請求項７】
数字ｓ＋１〜ｒに対する純粋に個々に設定可能な作動は独立した駆動手段（１５、１６）によって行われる請求項４〜６のいずれか１項に記載のナンバリング・ボックス。
【請求項８】
数字ｒ＋１〜ｐに対して順番に行われる作動は電磁的に開始される請求項４〜７のいずれか１項に記載のナンバリング・ボックス。
【請求項９】
被印刷物上に置かれた銀行券、有価証券、パスポート等の目的物に番号を付けるナンバリング機械であって、請求項４〜８のいずれか１項に記載の少なくとも一つのナンバリング・ボックスの特徴を有する、ナンバリング機械。
【発明の詳細な説明】
【技術分野】
【０００１】
本発明は、被印刷物 (substrate)のシート上に縦方向と横方向に配置された銀行券、有価証券、パスポート、ＩＤカード等の目的物に、番号を付ける番号付けのプロセスと、このプロセスを用いて被印刷物を処理する方法とに関する。
【０００２】
本発明は、更に、被印刷物のシート上に縦方向と横方向に配置された銀行券、有価証券、パスポート、ＩＤカード等の目的物に、番号を付けるナンバリング装置又はナンバリング・ボックスにも関する。
【背景技術】
【０００３】
証券の形を有する有価証券、例えば銀行券、小切手等の目的物のための印刷機械の技術において、これらの目的物に印刷される重要な特長は通し番号である。例えば、紙のシート等の被印刷物上に印刷された各銀行券は、この証券の通し番号を形成する数字と文字の独特の組合せを付与されている。
【０００４】
従来技術において、多くの番号付けプロセスが開発されてきた。例えば、その内容が本出願中に参考として組み入れられているＵＳＰ４，６７７，９１０（特許文献１）は、紙のウエブやシートの形の担持体の上に縦方向と横方向に配置された有価証券プリントの処理を行うためのプロセスと装置を開示している。このプリント担持体は、記号によって識別される欠陥証券の位置を検出する読取装置のそばを順次に通過し、かつその位置を、記憶するためのコンピュータ、このコンピュータによって制御されかつ欠陥のある証券に取消しのプリントを行う取消しプリンタ、およびナンバリング機械へ供給する。このナンバリング機械の番号印字機構は、すべての長手方向の列に順次に配列された完全なプリントに常に通し番号を付与し、損じた証券を無視するように、コンピュータによって前進する。引き続いて、もう一つの読取装置を経たプリントされた担持体は個々の有価証券又は証券に切断され、欠陥のある証券は分離装置において分離されて排出され、残った順次に番号付けされた証券は束にされて、各束は完全な数字の順序に並べられる。このようにして、欠陥のある証券を分離したにも関わらず、正しい完全に番号順に並べられた有価証券の束が確保される。
【０００５】
被印刷物上にマトリックスのフォーマットで普通に印刷された有価証券において、順次の数字で番号を付けた個々の有価証券の束を作ろうと欲する場合、幾つかの問題が生じる。第１の問題は、被印刷物の各シートが個々の証券に切断されなければならない事実に起因する。好適な製造速度を維持するために、製造された被印刷物の各シートのそれぞれの証券を個々に切断することは原理的に不可能であって、一群のシートを積み重ねて、既知の適宜な切断装置で一緒に切断することが好ましい。
【０００６】
重ねたシートを個々の証券に切断する場合に、正確に切断するのに最適である１００枚の被印刷物シートを重ねて作業することによって、良好な妥協点が得られることも判っている。
【０００７】
直面するもう一つの問題点は、有価証券等の各製造目的物の個々の番号付けである。勿論、切断された後に通し番号を製造された各証券に付けることは、通常、特定のシリーズの百万の番号を付ける証券を含む所謂閉鎖セットが完成するまでは不可能である。事実、これらの証券は切断前に、即ち被印刷物のシートがまだ完全な時点で番号を付けられ、番号付けは切断作業の後で行われるのではなく、プリント工程の一部となっている。この方法によれば、考慮しなければならないもう一つのパラメータは被印刷物上のミスプリント又は欠陥証券の存在にある。証券の束のすべての証券は順番に番号を付されるので、同じ通し番号を有する正しい証券に後刻置き換えられなければならない欠陥のある証券を含む証券の束を作ることは合理的ではない。特許文献１は上述のこの問題点に対する解決策を開示している。この特許において、被印刷物のシートは個々の証券に個々に切断されるが、ミスプリントが存在するので、積み重ねたシートを個々の証券の積層体に切断することは不可能であり、これらの個々の証券は、積み重ねられ通し番号を付けられた証券の束を形成する前に選別される必要がある。
【０００８】
別のプロセスによれば、ミスプリントを含むシートは番号付け作業の前に取り除かれて、欠陥の無い証券を有するシートのみが番号を付けられる。
【０００９】
もう一つの番号付けプロセスが、本出願に参考として組み入れられている特許文献２に開示されている。このプロセスにおいては、Ｎ台の番号付けユニットを有するナンバリング機械を通過して進行する、横方向と縦方向の列に配列されたプリントされたＮ個の証券を含む各シートに対して、Ｗ個の証券による番号の閉鎖セットによって番号付けを行い、このシートの枚数は１００の倍数であり、プリントされた証券の数Ｎは１０で割り切れる。各シート上で、隣接する１０個の証券は、それぞれ、千の位の同じシリーズから番号を与えられる１０のグループを形成している。更に、１００枚の連続するシートの各シーケンスにおいて、シートの同じ位置、即ち同じ横方向と同じ縦方向の列に位置する証券は、特定の百の位のシリーズの１００個の連続番号を付けられ、各シートの１０のグループの１０個の証券は、同じ一の位と十の位を有する百の位の連続するシリーズの番号で番号付けされる。更に、１００枚のシートのすべての連続するシリーズにおける証券は、それぞれの場合において、同じ証券位置に位置する証券に対して、同じ一の位、十の位及び百の位によって千の位の連続シリーズの番号で番号付けされ、種々の１０のグループに属する証券は、一つの１０のグループの番号が別の１０のグループの番号とは少なくともＷ／Ｚに等しい数だけ異なるように番号付けされ、ここでＺは１枚のシートの中の１０のグループの数を表している。
【００１０】
被印刷物上に行と列をなして配置されたプリントや目的物に番号を付けるプロセスに関連するもう一つの技術分野は、勿論、各証券プリントに適正な番号をプリントするのに使用されるナンバリング装置である。通常、外周に盛り上がった形で刻印された順次の番号又は文字を有する数枚のナンバリング・ホィールやディスクを具えたこれらの装置に対して二つの主たるカテゴリーが存在している。これらのナンバリング・ホィールは、決まったシーケンスで一ステップずつ動かされて順次に作動し、連続番号をプリントすることだけが可能なナンバリング装置を構成するものであるか、或いは、独立した方式で任意の位置を占めることができて任意の所望のシーケンスの番号をプリント可能な自由作動型ナンバリング・ホィールかのいずれかである。
【００１１】
ナンバリング装置の第１カテゴリーは、番号を順番に変えることのみが可能な簡単な機構を使用している。一の位の数字に対するナンバリング・ホィールは、それが番号９から番号０に移動する際にだけ一ステップ動かされるように十の位の数字に対するナンバリング・ホィールと機械的に連結されている。同様に、百の位の数字に対するホィールは十の位のホィールと一の位のホィールとが番号９９から番号１００に移動する際にだけ、一ステップ前進し、以下同様である。したがって、このナンバリング装置は、番号を飛ばしたり又は任意の所与の番号を順次にプリントしたりすることは不可能であり、厳密に連続番号の番号付けのみがこのナンバリング装置によって行われる。これらの装置は、例えば特許文献１によって既知である。
【００１２】
自由に調節可能なナンバリング・ホィールを有するナンバリング装置の第２のカテゴリーは、その内容が参考として本出願に組み入れられているＵＳＰ５，６６０，１０６（特許文献３）に開示されている。この特許は、プリントされる対象物の各番号付けステップに対して、所望位置にナンバリング・ホィールをブロックする電磁的システムを用いたナンバリング装置を開示している。この開示された完全に自動的に設定可能なナンバリング・ユニットは、選択的に任意の非順次の番号がいつでもセット可能であって、シーケンス中の番号を飛ばすことができる利点を有している。これらの番号付けユニットの機能の詳細な説明のために、特許文献３の全開示内容を参照する。
【００１３】
このようなナンバリング装置は、同じナンバリング装置によって番号を付けられる証券同士の間で番号を飛ばすプロセスや、同じ番号が二つ以上の引き続く証券上にプリントされる必要がある場合に、特に有用である。しかし、これらの番号付けユニットは、通常は純粋に機械的に順次に番号付けするナンバリング装置に比べて複雑であり、且つ摩擦によって多量のエネルギーが消失する構造に起因して高温になりやすい不利益がある。
【００１４】
ハイブリッド型のナンバリング装置のもう一つのカテゴリーは、例えば特許文献１の主として図６と図６ａに開示され、これらのナンバリング装置の対応する記載は本出願に参考として組み入れられている。このナンバリング装置は純粋に順次型のナンバリング装置の限界を克服し、番号のシーケンスを変えることができる。この特許に開示されたナンバリング装置は、６枚のナンバリング・ホィール（例えば図６ａを参照のこと）、即ち右から左に一の位の数字のためのホィール２１、十の位の数字のためのホィール２２、百の位の数字のためのホィール２３、千の位の数字のためのホィール２４等を含んでいる。他のホィールからは機械的に独立して電気モータによって動く一の位の数字をプリントするホィールを除いて、これらのすべてのホィール同士は機械的に連結されて純粋に順次の番号付けを行う。この特許で使用されている番号付けプロセスによって、同じ被印刷物上にプリントされて、行と列で作られたマトリックス状に配列された証券が、同じシート上に連続番号によって番号付けされる。シート上にミスプリントがあった場合、ミスプリントされた証券とその次の証券である二つの隣接する証券は同じ通し番号を付与され、一の位の数字は変わらない。したがって、番号付けプロセスにおいて一つのユニットを飛び越すこと、即ち一の位の数字に対応するホィールを動かすことを回避することが必要である。この理由によって、このホィールはモータによって独立して駆動され、シートの番号付け作業の際にミスプリントが生じた場合には動かない。
【００１５】
それ故、被印刷物、即ち一定のサイズの被印刷物又は積層された被印刷物上に行と列をなして配列された目的物に番号を付ける分野において起こる異なった問題に対して効果的で簡単化された番号付けプロセスと装置、番号付け作業を最適化するのに使用される番号付けプロセス及び所望の番号付けプロセスを実行可能なナンバリング装置が求められている。
【００１６】
【特許文献１】米国特許第４，６７７，９１０号明細書
【特許文献２】欧州特許第０５９８６７９号明細書
【特許文献３】米国特許第５，６６０，１０６号明細書
【発明の開示】
【発明が解決しようとする課題】
【００１７】
本発明の目的は、改良された番号付け方法と改良されたナンバリング装置を提供することにある。
更に詳しくは、本発明の目的は、番号付けされた目的物の照合を簡単に行えて、順番に番号付けされたこれらの目的物の束を形成することことが可能な番号付けプロセスを提供することにある。
本発明のもう一つの目的は、製造が簡単で、同時に所望の順序で通し番号をプリント可能なナンバリング装置を提供することにある。
【課題を解決するための手段】
【００１８】
本発明によるこの番号付けプロセスとナンバリング装置は、特許請求の範囲の特徴部分によって規定されている。
【発明を実施するための最良の形態】
【００１９】
本発明の別の特徴と利点は、紙等の被印刷物上に行と列をなして配列された銀行券等の有価証券の証券の場合における、添付図面に示された非限定的な例による次の詳細な説明から明らかになるであろう。
【００２０】
本発明によるプロセスを、非限定的な例として、銀行券等の証券がマトリックス形式で行と列をなしてプリントされた有価証券の一枚のシートが表された図１を参照して説明する。各証券は、（右から始まって）一の位の数字、十の位の数字、百の位の数字、千の位の数字等からなる七桁の数字の通し番号を担持している。勿論、更に多くの数字を用いたり、文字とその他のアルファニューメリック(alphanumeric characters) との組合せも用いられる。通常、銀行券は百万の通し番号、即ち、この例の七桁の数字の通し番号の付いた閉鎖シリーズでプリントされている。更に、規約によって、行はシートの移動方向に垂直であり、列はこの方向に平行であると決められている。図１の例においては、シートは４×８の証券（４列と８行）を含んでいる。
【００２１】
本発明のプロセスに使用される式は、上に向かって番号付けする場合、シート上にプリントされる各証券のための１００枚の連続するシートからなる各群即ち各連（ｒｕｎ）の第１シート上にプリントされるべき百の位と千の位の数字のための最初の番号を規定することができる。
【００２２】
この式は次の通りである。
Ｚ＝（ｊ−１）＋（ｊ−１）×ｎ＋（ｍ−１）×（ｍ−１）×（ｋ×ｎ）
ここで、Ｚは１００枚の証券の一群における所与証券位置の百の位と千の位の最初の番号であり、
ｊは所与証券の行の位置、
ｉは所与証券の列の位置、
ｎはシート上の行の全数、
ｍは１００枚のシートからなる群（ｒｕｎ）の番号（第１群、第２群等）、
ｋはシート上の列番号である。
【００２３】
そして、仕上げ機械の集合シーケンスは、１／１，１／２,---１／ｎ, ２／１--- ２／ｎ--- ｋ／ｎから始まって、ｉ／ｊ，ｉ＝１--- ｋ，ｊ＝１---nとなるであろう。
こうして、この例では、数字の数は、ｐ＝７，ｋ＝４，ｎ＝８及びｑ＝１００（１００枚のシートからなる群）であり、したがってｓ＝２となる。
【００２４】
図１の例においては、非限定的な例として、プリントされた各証券は七桁に並んだ数字を含み、１００枚のシートからなる群の連続するシートの同じ位置にある、即ち同じ行と列にある証券は、１００枚のシートに番号が付けられて積層された後、その束の所与の行と列が通し番号を付けた１００枚の証券を含むように、順次に番号を付けられる。更に、同じ列における仕上げ機械の集合シーケンス内の隣接する行は、１００枚のシートからなる群が１００枚の個々の証券の積層体に切断された場合に、順次の束が通し番号を有するように、先行する行の番号に直接続く番号を有する１００枚の通し番号を付された証券を含む。
【００２５】
連続するシートの移動方向が矢印で示されているように下方向である図１を参照すれば、このことはよく理解されるであろう。図１に示されているように、第１シートの第１証券は該シートの左下側にあって、行の位置はｊ＝１、列の位置はｉ＝１である。第１証券であるので、０００  ００  ００の番号が付与される。上述のように、個々の証券は同じ行と列の位置に順次に番号を付されて、１００枚のシートが積層された場合に１００枚の連続した番号の付いた証券の束が作られるので、０００  ００  ０１の番号を受けた証券は、１００枚のシートからなる群の第２シート上の位置ｊ＝１及びｉ＝１を有する証券であり、同様に、この群の第３シート上の同じ位置にある証券は、０００  ００  ０２等の番号を付与される。判り易くするために、図１には一つの群の１００枚のシートのすべては表されておらず、最初のシートと最後のシートのみが示されている。したがって、上述の原理に基づいて、１００枚の群の最後のシートの位置ｊ＝１及びｉ＝１にある証券は０００  ００  ９９の番号を付与される。一つの群の１００枚のシートが積層されると、位置ｊ＝１及びｉ＝１は実際に１００枚の連続的に番号を付された証券を含み、その番号は０００  ００  ００（第１シート）、０００  ００  ０１（第２シート）、０００  ００  ０２（第３シート）--- ０００  ００  ９９（第１００シート）である。
【００２６】
上述の規定によれば、位置ｊ＝２及びｉ＝１（第２行、第１列）に置かれた証券は、位置ｊ＝１及びｉ＝１に置かれた証券の通し番号に続く通し番号を受け、したがって、１００枚の群の最後のシートのこの位置にある証券は０００  ００  ９９の番号を有するので、この１００枚の群の第１シートの位置ｊ＝２及びｉ＝１にある証券は、図１に表されているように、０００  ０１  ００の通し番号を付与されることになる。したがって、１００枚のシートの最後のシート上のこの位置にある証券は０００  ０１  ９９の番号を付与され、同じ列の次の行についても同様である。この規定にしたがえば、位置ｊ＝８及びｉ＝１にある証券は０００  ０７  ００（最初のシート）〜０００  ０７  ９９（最後のシート）の番号を付与され、次の通し番号０００  ０８  ００を担持する証券は、位置ｊ＝１及びｉ＝２即ち第１シートの第２列の第１行にある。同じ原理が各列に対して適用される。即ち、１０枚のシートの群の最後のシートの位置ｊ＝８及びｉ＝２にある証券に続く証券は、１００枚のシートからなる群の第１シートの位置ｊ＝１及びｉ＝３にあり、以下同様である。これによって、簡単なやり方で順番に番号を付けられた個々の証券の束を集めて、例えばこれも連続番号を付けた１０００枚の証券の束に形成することが可能となる。
【００２７】
１００枚のシートからなる群の第１シートに対しては、百の位、千の位及びこれより高位の数字のための最初の番号が、上述の式によって決められる。
例えば、１００枚のシートからなる第１の群（ｍ＝１）におけるの位置ｊ＝１及びｉ＝１では、この計算は、
Ｚ＝（ｊ−１）＋（ｉ−１）×ｎ＋（ｍ−１）×（ｋ×ｎ）＝（１−１）＋（１−１）×８＋（１−１）×（４×８）＝０＋０×８＋０×３２＝０
であり、番号は０００  ００  ００となる。
【００２８】
例えば、第１の群（ｍ＝１）の位置ｊ＝５及びｉ＝１では、この計算は、
Ｚ＝（５−１）＋（１−１）×８＋（１−１）×（４×８）＝４＋０×８＋（１−１）×（４×８）＝４＋０×８＋０×３２＝４であり、番号は０００  ０４  ００となる。
【００２９】
第１の群（ｍ＝１）の位置ｊ＝４及びｉ＝３では、この計算は、
Ｚ＝（４−１）＋（３−１）×８＋（１−１）×（４×８）＝３＋１６＋０×３２＝１９であり、番号は０００  １９  ００となる。
【００３０】
したがって、１００枚のシートからなる群の各シートに対する百の位と千の位の数字のすべての初期値は、この式によって決められる。１００枚のシートからなる群の最後の証券に番号を付けると、次の群の最初の証券に次の通し番号が付与されなければならない。図１の例において、証券に与えられる最後の通し番号は、位置ｊ＝８及びｉ＝４の証券に対して付与され、そこには０００  ３１  ９９の番号が付与される。したがって、次の１００枚のシートからなる群の第１シートの位置ｊ＝１及びｉ＝１で用いられる最初の番号は、０００  ３２  ００でなければならない。
【００３１】
図１の例と同様に、図１は１００枚のシートからなる第１群を表しているので、この通し番号は、１００枚のシートからなる第２群の位置ｊ＝１及びｉ＝１にある証券に付与されるべきである。
【００３２】
この式によれば、この計算は次の結果を与える。ここでｍ＝２（１００枚のシートからなる第２の群）である。
Ｚ＝（ｊ−１）＋（ｉ−１）×ｎ＋（ｍ−１）×（ｋ×ｎ）＝（１−１）＋（１−１）×８＋（２−１）×（４×８）＝０＋０×８＋１×３２＝３２であり、番号は０００  ３２  ００となる。
【００３３】
したがって、計算された番号は、百の位と千の位の数に対して上に示された番号に正確に対応する。
【００３４】
番号のシーケンスの例は、四つの列と八つの行に配列された４×８枚の証券を含む１００枚のシートからなる連続する群の場合について、図２ａ〜図２ｈに詳細に与えられている。
【００３５】
図２ａは、１００枚のシートからなる群（ＲＵＮ）に対する番号付けの順序が、図１における１００枚のシートからなる群の最初と最後のシートの番号に対応する各証券の位置、即ち位置ｊ＝１及びｉ＝１における０００  ００  ００〜０００  ００  ９９で与えられている図１に対応するものである。このようにして、１００枚のシートからなる第１の群は、０００  ００  ００（最初のシートの位置ｊ＝１及びｉ＝１における証券）から０００  ３１  ９９（この群の最後のシートの位置ｊ＝８及びｉ＝４における証券）まで番号を付けられた証券を形成している。
【００３６】
図２ｂには第２の群が表され、０００  ３２  ００から０００  ６３  ９９までの番号を付けられた証券を形成している。
【００３７】
図２ｃに表されている第３の群は、０００  ６４  ００から０００  ９５  ９９までの番号を付けられた証券を形成している。
【００３８】
図２ｄ（第４群）、図２ｅ（第５群）、図２ｆ（第６群）、図２ｇ（第７群）及び図２ｈ（第８群）に表された１００枚のシートからなる連続する群に対して同じことが適用され、第１群に対して与えられた上述の説明が同じようにこれらの連続する群にも与えられ、前記式が各群の第１シートの百の位と千の位の数字を決めるのに使用される。
【００３９】
他の計算例が前記式の使用を実際に説明する。例えば、群４の列１においては、番号は０００  ９９  ９９（行４）から００１  ００  ００（行５）まで飛んでいる。第４群の位置ｊ＝５及びｉ＝１にプリントされるべき番号を計算するために前記式を使用した場合、
Ｚ＝（５−１）＋（１−１）×８＋（４−１）×（８×４）＝４＋０×８＋３×３２＝１００が計算され、したがって、番号００１  ００  ００が群４の第１シート上のこの位置に付与される。
【００４０】
同様に、群７に対しては、位置ｊ＝１及びｉ＝２において、前記式による計算の結果として２００が与えられ、この群の第１シート上のこの位置にある証券には００２  ００  ００の番号が付けられる。
【００４１】
図３ａ〜図３ｅは５列と９行に配列された１００枚のシートからなる群のための番号付与のシリーズを示している。図３ａは０００  ００  ００から０００  ４４  ９９まで、図３ｂは０００  ４５  ００から０００  ８９  ９９まで、図３ｃは０００  ９０  ００から００１  ３４  ９９まで、図３ｄは００１  ３５  ００から００１  ７９  ９９まで、そして図３ｅは００１  ８０  ００から００２  ２４  ９９までの番号を示している。
【００４２】
図１及び図２ａ〜図２ｈにおけるように、１００枚のシートからなる各群の第１シートの各証券に対する百の位と千の位の数字に対応する数字に使用される番号は、前述の式によって計算される。
【００４３】
例えば、第１の群（ｍ＝１）の位置ｊ＝１及びｉ＝５はＺに対して次の値を与える。
Ｚ＝（１−１）＋（５−１）×９＋（１−１）×（５×９）＝４×９＝３６、したがって通し番号は０００  ３６  ００となる。
【００４４】
群３（ｍ＝３）における位置ｊ＝２及びｉ＝２に対するもう一つの例においては，Ｚは次の値を有し、
Ｚ＝（２−１）＋（２−１）×９＋（３−１）×５×９＝１＋９＋２×４５＝１００
したがって、通し番号は００１  ００  ００となる。
【００４５】
そこで、１００枚のシートからなる各群の最初のシートの番号を付けるためのすべての初期値は、各シート毎の番号が判れば、簡単なアルゴリズムによって容易に計算され、各群の形成に先立って例えばコンピュータ上にうまくプログラムされることができる。
【００４６】
被印刷物のシート上の証券に番号を付するのに使用されるこの特定のアルゴリズムに起因して、従来のナンバリング装置を使用することはできない。実際、１００枚のシートからなる群の中においてのみ、シート上の特定の証券位置の証券が順番に番号を付けられる。例えば、位置ｊ＝１及びｉ＝１においては、プリントされるべき通し番号は、上述のように１００枚のシートからなる第１群の各シート上にあり、０００  ００  ００から０００
００  ９９までとなる（例えば図１又は図２ａを参照のこと）。一の位の数字と十の位の数字に対してのみ、連続したシーケンスで番号付けがなされる。
【００４７】
１００枚のシートからなる第１群が番号付けされると、１００枚のシートからなる第２群の第１シート上の位置ｊ＝１及びｉ＝１にプリントされるべき次の番号は、０００  ０１  ００（０００  ００  ９９の後に続く次の通し番号）ではなくて、０００  ３２  ００（図２ｂ参照）である。したがって、０００  ００  ９９から０００  ３２  ００まで飛ぶことができなければならない。一の位と十の位の数字の場合には、００が９９に直接続いているので飛びは無いが、百の位と千の位の数字はシートのこの位置において００から３２まで飛ばなくてはならない。すべての証券位置で同じ問題が当てはまり、図２ａ〜図２ｈに示されているように、１００枚のシートからなる各群の後で、少なくとも百の位と千の位の数字において新たな１００枚のシートからなる各群に対して飛びが生じる。
【００４８】
下に向かう番号付けに対しては、同様な式を使用することができ、上に向かう番号付けの場合に行われた説明が準用される。この式は、Ｚ＝Ｄ／１０S -（（ｊ−１）＋（ｉ−１）×ｎ＋（ｍ−１）×ｋ×ｎ）であり、ここでＤは下に向かう番号付けがそこから始まる通し番号である。この式は、番号付けされる第１被印刷物上にプリントされるべき最初の番号を設定することができる。
【００４９】
図４ａ〜図４ｃは、前記式を使用して１００枚（Ｓ＝２）のシートからなる群の８桁の数字（Ｐ＝８）を含む最初の番号を求める、下に向かう番号付けの例を示している。この例においては、下に向かう番号付けは番号２００’０００（Ｄ＝２００’０００）から始まる。図４ａにおいて、群ｍ＝１〜ｍ＝３に対する番号付けのシーケンスが、番号００２０００００（ｍ＝１，ｊ＝１，ｉ＝１）〜００１９０４０１（ｍ＝３，ｊ＝８，ｉ＝４）によって示され、図４ｂにおいて、群ｍ＝４〜ｍ＝６に対する番号付けのシーケンスが、番号００１９０４００（ｍ＝４，ｊ＝１，ｉ＝１）〜００１８０８０１（ｍ＝６，ｊ＝８，ｉ＝４）によって示され、図４ｃにおいて、群ｍ＝７、ｍ＝８及びｍ＝６３に対する番号付けのシーケンスが、番号００１８０８００（ｍ＝７，ｊ＝１，ｉ＝１）〜００１７４４０１（ｍ＝８，ｊ＝８，ｉ＝４）が示され、層６３においては、００００１６００（ｊ＝１，ｉ＝１）〜０００００００１（ｊ＝８，ｉ＝２）が示されている。これから判るように、このシーケンスは群６３における列２と行８で完成している。一枚の被印刷物当たりに３２個の目的物を示しているこの図において、１００枚の被印刷物からなる各群は３２００個の番号付けされた目的物を有するので、これは論理にかなっている。６２個の群は１９８４００（６２×３２００）個の番号付けされた目的物を形成しており、２０００００個の番号付けされた目的物を得るには、第６３群に２０００００−１９８４００＝１６００個の目的物が必要である。一つの群は３２００個の目的物を形成するので、この残りの目的物を形成するには、一つの群の半分で充分である。
【００５０】
上述の如く、選ばれた番号付けプロセスに適合するように番号を飛ばすことが可能なナンバリング・ボックスの使用が必要である。例えば、本出願に引用されている特許文献３は、続き番号でなくても任意の所与番号をプリントできるこのように自由にプログラム可能なナンバリング装置を開示している。
【００５１】
しかし、このナンバリング装置は、製造が複雑で高価であり、熱を発生する傾向があり、且つその複雑な機構に起因して番号を変更するのに時間がかかる。したがって、本発明による番号付けプロセスを迅速、正確且つ確実に実行できる、簡単なナンバリング・ボックスを開発することが必要とされている。
【００５２】
本発明によるナンバリング装置は、少なくとも二つの異なる作動技術を組み合わせたハイブリッドの構成を含み、一の位の数字と十の位の数字のために使用されるホィール同士はリンクされて、連続的ナンバリング装置即ち純粋に機械的な番号付けユニットとして作動し、少なくとも百の位の数字と千の位の数字のためのホィールは、例えば専用のモータ等によって全体的には独立して作動せしめられて数字を飛ばすことができる。
【００５３】
ホィール５、６、７、８によって番号を付けられる更に高位の数字（万、十万、百万）は、一の位と十の位の数字の場合と同様に作動する機械的システムによって順次に移動する。
【００５４】
実際、上に開示された例から判るように、一の位と十の位の数字は番号を付ける連続シートに対して常に連続シーケンス（００〜９９）で並んでいるので、これらの数字のためのホィールだけを純粋に通し番号で作動させれば充分である。これらの二つの数字は各シートによって変わり、機械的作動機構は特許文献３に開示されている自由にプログラム可能なナンバリング装置に用いられている機構よりも確実で且つ迅速なので、このことは特に有利である。前述され且つ図１、図２ａ〜図２ｈ、図３ａ〜図３ｅの例を参照して説明されたように百の位、千の位及びそれより高位の数字は、番号を付ける各シート毎に変化しないので、対応するナンバリング・ホィールを動かすのに自由にプログラム可能な機構が必要であり、そして作動機構は各１００枚のシートにおいて数字４と５が変化する場合にのみ作動する。
【００５５】
本発明のナンバリング装置の一実施態様が図５〜図８を参照して説明される。
図５を参照して、ナンバリング装置の原理が、機械的な通し番号付けについて、即ち一の位と十の位の数字について述べられる。このナンバリング装置は７個のナンバリング・ホィール１〜７、即ち一の位の数字のためのホィール１、十の位の数字のためのホィール２、百の位の数字のためのホィール３等を含む。好ましくは、すべてのホィールは共通軸９を中心として回転可能にフレーム８に装着されている。ホィール１と２は、例えば特許文献１で既知の方法で互いに機械的にリンクされている。既知前進レバー１０がナンバリング・ホィール１、２を前進運動させるのに使用される。このレバー１０は軸９を中心として回転可能であり、一端には作動ロール１１を、他端にはいわゆるフォアキャッチャ（fore-catcher) と呼ばれる作用爪１３を有するキャッチキャリア１２を担持している。この作用爪１３を具えたキャッチキャリア１２は、前進レバー１０の各アーム上に軸９を中心として回転可能に支持されている。キャッチ１３はスプリング５０によって付勢され、ナンバリング・ホィール１、２の側面に固定された凹部の方向に押圧されている。ナンバリング・ホィール１、２の各凹部の歯の間隙の深さ、および関連する作用キャッチ１３の長さは既知方法により設計され、一の位のナンバリング・ホィール１に連携する作用キャッチ１３は常にこのナンバリング・ホィール１の凹部に係合するが、十の位のナンバリング・ホィール２に連携する作用キャッチ１３は、一の位のナンバリング・ホィールが下に向かう番号付けプロセスにおいて番号０にセットされた時にのみこのホィール２の凹部に係合可能となるように設計される。
【００５６】
機械的なナンバリング装置の機能に関する更に詳しい説明のために、特許文献１、特に４欄の５４行〜５欄の６５行、１１欄の１６行〜１２欄の３１行の記載を参照する。これらの記載は参考として本出願に組み入れられる。
【００５７】
次に、図５に模式的に示されているように、百の位の数字のためのホィール３と千の位の数字のためのホィール４は、例えばモータ１５と１６によって、歯車１７、１８を介して独立に作動する（図７参照）。これによって、両ホィール３と４は任意の所望番号まで迅速に動いて、このナンバリング装置によってプリントされる番号のシーケンスを飛ばすことができる。ナンバリング・ホィールのための独立した作動モータの原理は、特許文献１に開示されており、その機能の詳細な説明はこの特許を参照されたい。これらのモータは、シートからなる所与の群のための番号付けシーケンスがプログラムされ／計算されるコンピュータ装置（図示しない）によって、自動的に作動することが好ましい。番号付けシーケンスの飛ばしは既知であり、番号付けプロセスの際にナンバリング機械のナンバリング装置に対して適用可能である。
【００５８】
万の位、十万の位及びそれより高位の数字（もしあれば）に対応するナンバリング・ホィール６〜８等の作動機構も、機械的に順番に行われることが好ましい。しかし、それは、アルゴリズムが万の位、次いで十万の位及びそれより高位の数字の増加を要求した場合にのみ、作動する。
【００５９】
図６〜図８を参照して、本発明にかかるナンバリング装置におけるホィール５〜７のための作動機構の一例が述べられる。このナンバリング装置は９個のホィール（ホィール１〜８及びホィール８’）を含み、ここでホィール８’は、例えばホィール１〜８によってプリントされた番号に接頭語をプリントするのに役立つ。この作動装置は補助の独立したキャッチ２５を担持したキャッチキャリア１２を含み、このキャリア１２は軸９を中心に回動可能に支持されている。これらのキャッチ２５は軸１４によってキャッチキャリア１２に回転可能に取付けられ、スプリング２６によって付勢されて、ナンバリング・ホィール５、６、７の側面に固定された凹部の方向に押圧される。これらのキャッチ２５は、操縦キャッチ２７が作動カム２８によって解放された場合にのみ作動する。作動カム２８は電磁アクチュエータ２９によって回転し、この群の初期番号のアルゴリズムにしたがって、その作動を通じて数字５、６、７を増加させる。このシステムは、ホィール１と２に関して原理的に機械的構成に類似している。その違いは、機械的に自由になった場合にのみキャッチ２５によってその作動が行われることにある。
【００６０】
本発明によるナンバリング装置は三つの部分 (stages) を含み、それは、一の位と十の位の数をいつでも変えるための最も確実な機構である純粋に機械的な部分と、数字をいつでもではないが、番号を飛ばす時には迅速に変えられる百の位と千の位の数のためのモータ駆動部分と、より高位の数のために、より少ない頻度で数列を連続して変える電磁的部分である。
【００６１】
本発明のナンバリング装置は、ナンバリング・ホィールを作動させるのに使用されるシステムの原理の複雑性と信頼性との間の最適な解決策を提案し、その特定の番号付け方法を効果的に実行することを可能にするものである。
【００６２】
開示された番号付けプロセスによって、シートやウエブの形状の被印刷物を処理する方法を行うことができる。この処理方法において、各シート又は反復的長さの各ウエブはｋ個の列とｎ個の行に配列された目的物を含み、この目的物は、１〜ｓ、ｓ＋１〜ｒ及びｒ＋１〜ｐの数字を含むｐ個の数字からなる番号で順番を付けられる。ｑ枚のシート又は同じ長さのｑ枚のウエブからなる積層体は個別シートに変形され、前記列と行を切断することによって、個々の目的物の束になるように処理される。ここで、ｑは１０Sによって割り切れる数であり、連続的積層体の連続切断によって得られる束は、上又は下に向かう番号付けのために開示された式によって順次に番号を付けられた目的物の連続する流れを形成する。上述のように、仕上げ機械において、シートの群又はシート状に切断されたウエブ積層体の群が、切断された順次の層になった場合、集合シーケンスは、１／１から始まり１／２、--- １／ｎ、２／１、--- ２／ｎ--- ｋ／ｎとなるｉ／ｊ（ｉ＝１〜ｋ，ｊ＝１〜ｎ）であることが好ましい。第１列の順次の行で作られた積層体が集められ、次いで第２列の行等が集められる。
【００６３】
本発明の実施態様は単なる例示であり、特許請求の範囲を限定することを意図しない。
【００６４】
更に、本出願に述べられている例は、主として紙等の被印刷物上に配列された有価証券に関するものである。勿論、本発明は有価証券に限定されるものではなく、ナンバリング機械に入ってくる順次の被印刷物上に行と列をなして配列された通し番号を受け取るすべての目的物に適用可能である。
【図面の簡単な説明】
【００６５】
【図１】本発明による番号付けプロセスによって上に向かって番号付けされた１００枚のシートからなる群の最初と最後のシートを示す。
【図２ａ−２ｈ】シートの連続する群のために各証券上にプリントされる連続番号を示す。
【図３ａ−３ｅ】５列と９行に配列された証券を有するシートからなる連続する群のために、各証券上にプリントされる連続番号を示す。
【図４ａ−４ｃ】下に向かう番号付けでプリントされた連続番号を示す。
【図５】ナンバリング装置の概略図を示す。
【図６】本発明のナンバリング装置の斜視図を示す。
【図７】本発明のナンバリング装置の斜視図を示す。
【図８】本発明のナンバリング装置の斜視図を示す。
【図１】
2005535472.tif 000003
2005535472.tif 000004
2005535472.tif 000005
2005535472.tif 000006
2005535472.tif 000007
2005535472.tif 000008
2005535472.tif 000009
2005535472.tif 000010
2005535472.tif 000011
【図５】
2005535472.tif 000012
【図６】
2005535472.tif 000013
【図７】
2005535472.tif 000014
【図８】
2005535472.tif 000015
【国際調査報告】
2005535472.tif 000016
2005535472.tif 000017